(57)【要約】【課題】  化粧キャップの材質に左右されずに取付け取り外しを容易にすることができるとともに、外観・意匠を向上させることができる化粧キャップ組立体を提供する。【解決手段】  円筒形状又は円錐形状を有する軸部と前記軸部の一端部に形成され、前記軸部の直径よりも大きな直径を有する頭部とを具備した締着部材、の頭部を覆うように形成され、その内周面にめねじが設けられた化粧キャップ、及び外周面に前記めねじに対応するおねじを設けられ、前記おねじに前記めねじが螺着されることで、前記頭部を、それと前記化粧キャップとで包み込むように形成されたリング状部材を有する。【選択図】  図１
2006266480.tif 000002
【特許請求の範囲】
【請求項１】
円筒形状又は円錐形状を有する軸部と前記軸部の一端部に形成され、前記軸部の直径よりも大きな直径を有する頭部とを具備した締着部材、の頭部を覆うように形成され、その内周面にめねじが設けられた化粧キャップ、及び
外周面に前記めねじに対応するおねじが設けられ、前記おねじに前記めねじが螺着されることで、前記頭部を、それと前記化粧キャップとで包み込むように形成されたリング状部材
を有する化粧キャップ組立体。
【請求項２】
前記リング状部材の内径が、前記締着部材の軸部の直径より大きく、前記締着部材の頭部の直径より小さいことを特徴とする請求項１に記載の化粧キャップ組立体。
【請求項３】
前記締着部材は、ボルト、ねじ、釘、画鋲、又はリベットのいずれかであることを特徴とする請求項１に記載の化粧キャップ組立体。
【請求項４】
前記化粧キャップは、紙、木、ガラス、石、陶器、磁器、金属及び樹脂のいずれかから形成されることを特徴とする請求項１に記載の化粧キャップ組立体。
【請求項５】
前記リング状部材は、紙、木、ガラス、石、陶器、磁器、金属及び樹脂のいずれかから形成されることを特徴とする請求項１に記載の化粧キャップ組立体。
【請求項６】
前記化粧キャップの外周部に、固定形状部材が取り付けられていることを特徴とする請求項１に記載の化粧キャップ組立体。
【請求項７】
前記固定形状部材が、木、ガラス、石、陶器、磁器、金属、樹脂及びそれらの組み合わせのいずれかであることを特徴とする請求項６に記載の化粧キャップ組立体。
【請求項８】
前記化粧キャップの外周部が、漆、七宝又は金箔によって表面処理されていることを特徴とする請求項１又は請求項６に記載の化粧キャップ組立体。
【請求項９】
前記化粧キャップの外周面が、漆、七宝又は金箔によって表面処理されていることを特徴とする請求項１又は請求項６に記載の化粧キャップ組立体。
【請求項１０】
前記締着部材又は被締着部材と前記リング状部材との間に挟まれて、所定の摩擦力を発生させるための弾性部材をさらに有することを特徴とする請求項１に記載の化粧キャップ組立体。
【請求項１１】
前記弾性部材は、前記リング状部材に取り付けられていることを特徴とする請求項１０に記載の化粧キャップ組立体。
【請求項１２】
前記弾性部材は、樹脂又はゴムから形成されることを特徴とする請求項１０又は請求項１１に記載の化粧キャップ組立体。
【発明の詳細な説明】
【技術分野】
【０００１】
本発明は、化粧キャップ組立体に関し、より詳しくは、ねじ、ボルト、釘、画鋲、リベット等の締着部材の頭部を覆う化粧キャップ組立体に関する。
【背景技術】
【０００２】
一般に、２つの被締着部材を締着するものとして、円筒形状又は円錐形状を有する軸部と、軸部の一端部に形成された、軸部よりも大きな直径を有する頭部とを具備した締着部材（例えば、ねじ、ボルト、釘、画鋲、リベット等）が広く使われている。このような締着部材は、２つの被締着部材にねじ込まれた時、締着部材の頭部が露出状態のままにされることが一般的である。
【０００３】
しかしながら、締着部材の頭部に水滴が付着するような場所で使用される場合には、錆が発生して強度が低下することがあった。また、人目につくような場所で使用される場合には、締着部材の頭部が露出状態であったので、美観を損ねたりしていた。また、締着部材が熱せられたり、それに電圧が印加されるような場所で使用される場合には、締着部材の露出部分を不用意に触れてしまうと、火傷や感電する危険性があった。
【０００４】
このような課題を解決する化粧キャップが、特開２００１−７４０２１号公報（特許文献１）に提案されている。図５は、特許文献１のねじ用化粧キャップの断面図を示している。図５において、ねじ１０２は、被締着部材１０４にねじ込まれ、被締着部材１０３と被締着部材１０４とを締着させている。ねじ用化粧キャップ１０１は、球面状の皿形状部１０１ａと、皿形状部１０１ａの周縁から軸心下方部に向けて円錐状に延びる内面を有する係着部１０１ｂとを具備している。ねじ用化粧キャップ１０１をねじ１０２の頭部１０２ａに取付ける際には、ねじ用化粧キャップ１０１の係着部１ｂを部分的にずらしながら変形させて、被締着部材１０３とねじ１０２の頭部１０２ａとの間に形成されるスペース１０５に入り込ませる。これにより、ねじ用化粧キャップ１０１がねじ１０２の頭部１０２ａに嵌着する。
【０００５】
特許文献１のねじ用化粧キャップ１０１は、ねじ１０２の頭部１０２ａを露出状態にしないので、ねじ１０２の錆の発生を防ぐことができる。また、美観を損ねるねじ１０２が見えないので、外観上有利であると共にねじ１０２を保護できる。また、ねじ１０２が熱せられたり、それに電圧が印加されている場合でも、ねじ１０２に手が触れないため安全である。さらに、係着部１０１ｂを部分的にずらしながら変形させることで、小さな力でねじ１０２の頭部１０２ａから取付け取外しすることも可能である。
【特許文献１】特開２００１−７４０２１号公報
【発明の開示】
【発明が解決しようとする課題】
【０００６】
しかしながら、特許文献１のねじ用化粧キャップにおいては、取付け取外しをするときに係着部１０１ｂを変形させなければならないので、その変形を許容できるものに材質が限定された。例えば、鉄等の硬い材質や、ガラスや陶器などの割れやすい材質などは、変形させることが困難であるので、使用することできなかったり、あるいはもし使用できたとしても取付け取外しが困難であった。
【０００７】
一方、特許文献１では、ねじ用化粧キャップによってねじ１０２の頭部１０２ａを覆うことで、ねじ１０２が見えないので外観上有利であるとの主旨の記載がされている。しかしながら、特許文献１のねじ用化粧キャップは、ねじ１０２の頭部１０２ａを隠すことを目的として考案されたものであるので、化粧キャップの外観・意匠を向上させる面での具体的な方法については、記載も示唆もされていない。
【０００８】
本発明は、化粧キャップの材質に左右されずに取付け取り外しを容易にすることができるとともに、外観・意匠を向上させることができる化粧キャップ組立体を提供することを目的とする。
【課題を解決するための手段】
【０００９】
上記目的を達成するために本発明の一つの観点による化粧キャップ組立体は、円筒形状又は円錐形状を有する軸部と前記軸部の一端部に形成され、前記軸部の直径よりも大きな直径を有する頭部とを具備した締着部材、の頭部を覆うように形成され、その内周面にめねじが設けられた化粧キャップ、及び外周面に前記めねじに対応するおねじを設けられ、前記おねじに前記めねじが螺着されることで、前記頭部を、それと前記化粧キャップとで包み込むように形成されたリング状部材を有する。
【００１０】
この発明によれば、めねじを設けた化粧キャップをおねじを設けたリング状部に螺着する構造としたので、材質に左右されずに取付け取外しを容易に行うことができる。これにより、化粧キャップをねじ部を形成することが可能なものであれば、どのような材質からでも形成することが可能となる。例えば、紙、木、ガラス、石、陶器、磁器、金属及び樹脂等から製作することができる。したがって、化粧キャップをその使用場所に応じた材質で形成できるので、外観・意匠を向上させることができる。
【００１１】
本発明の他の観点による化粧キャップ組立体は、前記化粧キャップの外周部に、固定形状部材が接着されていることを特徴とする。
この発明によれば、人目に触れる部分である化粧キャップの外周部に、固定形状部材、例えば紙、木、ガラス、石、陶器、磁器、金属及び樹脂等を取り付けることで、外観・意匠をさらに向上させることができる。
【００１２】
本発明の別の観点による化粧キャップ組立体は、前記化粧キャップの外周部が、漆、七宝又は金属箔によって表面処理されていることを特徴とする。
この発明によれば、人目に触れる部分である化粧キャップの外周部を、漆、七宝又は金属箔等で表面処理することで、外観・意匠をさらに向上させることができる。
【００１３】
本発明のさらに別の観点による化粧キャップ組立体は、前記締着部材又は被締着部材と前記リング状部材との間に挟まれて、所定の摩擦力を発生させるための弾性部材をさらに有することを特徴とする。
【００１４】
リング状部材は、締着部材が被締着部材にねじ込まれるときに、それらの間に挟まれる。このとき、リング状部材がそれらの間に挟まれる圧力が弱かったり、リング状部材とそれらとの間の摩擦力が弱いと、化粧キャップを取付け取外しするために化粧キャップを回転させた時に、リング状部材も同様に回転してしまうことが考えられる。
この発明によれば、締着部材又は被締着部材とリング状部材との間に、所定の摩擦力を発生させる弾性部材を挟むことよって、その摩擦力でリング状部材が回転しにくくなる。つまり、リング状部材が化粧キャップと同様には回転しなくなるので、化粧キャップの取付け取外しをさらに容易にすることできる。
【発明の効果】
【００１５】
本発明の化粧キャップ組立体によれば、めねじを設けた化粧キャップをおねじを設けたリング状部材に螺着する構造とすることにより、材質に左右されずに取付け取り外しを容易にすることができるとともに、外観・意匠を向上させることができる。また、人目に触れる化粧キャップの外周部に固定形状部材を取り付けたり、漆や七宝等によって表面処理することによって、外観・意匠をさらに向上させることができる。また、締着部材又は結部材とリング状部材との間に、所定の摩擦力を発生させる弾性部材を挟むことよって、化粧キャップの取付け取外しをさらに容易にすることができる。
【発明を実施するための最良の形態】
【００１６】
以下、本発明の最良の実施の形態について、図面を参照して説明する。
【００１７】
《実施例》
図１〜図４を用いて、本発明の実施例の化粧キャップ組立体を説明する。本実施例の化粧キャップ組立体は、ねじの頭部を覆うものである。図１は、本実施例の化粧キャップ組立体の断面図を示している。図２及び図３は、本実施例の化粧キャップ組立体の化粧キャップを示す図であり、図２の左半分は側面図、右半分は断面図、図３は上面図を示している。図４は、本実施例の化粧キャップ組立体のリング状部材を示す図であり、図４の左半分は側面図、右半分は断面図を示している。
【００１８】
図１において、本実施例の化粧キャップ組立体は、化粧キャップ１、リング状部材２及び弾性部材３から構成されている。化粧キャップ１は、ねじ４の頭部４ａを覆うように、一面が開口した箱形状に形成されている。化粧キャップ１は金属、より詳しくは鉄から形成されている。化粧キャップ１の内周面には、図１及び図２に示すように、めねじ１ａが設けられている。化粧キャップ１の外周上部には、図１から図３に示すように、複数の凹部１ｂが設けられている。複数の凹部１ｂには、固定形状物材７が、例えば接着剤などで取り付けられている。固定形状部材７は、例えばガラスから形成されている。
【００１９】
リング状部材２は、図１に示すように、その中空部２ａにねじ４の軸部４ｂが挿入された状態で、弾性部材３を介してねじ４の頭部４ａと被締着部材５との間に、所定の圧力で挟まれている。リング状部材２は金属、より詳しくは鉄から形成されている。リング状部材２の内径は、ねじ４の軸部４ｂの直径よりも大きく、ねじ４の頭部４ａの直径よりも小さく形成されている。リング状部材２の外径は、ねじ４の頭部４ａの直径よりも大きく形成されている。リング状部材２の外周面には、図１及び図４に示すように、化粧キャップ１のめねじ１ａに対応するおねじ２ｂが設けられている。リング状部材２の厚さは、ねじ４が被締着部材５及び６を締着させるための締付力が弛みすぎず、且つ外周面におねじ２ｂを設けることができる厚さとする。
【００２０】
弾性部材３は、図１に示すように、リング状部材２とねじ４の頭部４ａとの間に挟まれている。弾性部材３は、リング状部材２に回転力が加えられた時に、リング状部材２の上面とねじ４の頭部４ａとの間に所定の摩擦力を発生させるものである。弾性部材３は、リング形状からなり、例えば樹脂やゴムから形成されている。
【００２１】
本実施例の化粧キャップ組立体は、以上のように構成されている。次に、本実施例の化粧キャップ組立体の使用方法について説明する。
まず、ねじ４の軸４ｂを弾性部材３の中空部に挿入し、続いてリング状部材２の中空部２ａに挿入する。この状態で、ねじ４の軸部４ｂを、被締着部材５を貫通させて被締着部材６にねじ込む。このとき、弾性部材３及びリング状部材２は、ねじ４の頭部４ｂと被締着部材５との間に挟まれる。そして、化粧キャップ１のめねじ１ａをリング状部材２のおねじ２ｂに螺着する。これにより、化粧キャップ１がリング状部材２に固定される。
【００２２】
本実施例の化粧キャップ組立体は、化粧キャップ１をリング状部材２に螺着する構造としたので、様々な材質を使用することができ、外観・意匠を向上させることができる。また、取付け取り外しも容易に行うことができる。
また、人目に触れる部分である化粧キャップ１の外周部に固定形状部材７を取り付けることによって、外観・意匠をさらに向上させることができる。
また、ねじ４又は被締着部材５とリング状部材２との間に、所定の摩擦力を発生させる弾性部材３を挟むことよって、化粧キャップ１の取付け取外しをさらに容易にすることができる。
【００２３】
尚、本実施例では、ねじ４の頭部４ａを覆う化粧キャップについて説明したが、本発明の化粧キャップは、ねじを覆うものに限定されるものではない。円筒形状又は円錐形状を有する軸部と、軸部の一端部に形成された、軸部よりも大きな直径を有する頭部とを具備した締着部材、例えば、ボルト、釘、画鋲、リベット等にも使用できるように改良することも容易に見出すことができる。
【００２４】
本実施例では、化粧キャップ１を金属から形成されるものとしたが、例えば木、ガラス、石、陶器、磁器、樹脂等から形成されてもよい。また、化粧キャップ１は、例えば、漆、七宝、金箔等で表面処理されてもよい。
本実施例では、化粧キャップ１を一面が開口した箱形状に形成したが、本発明はこれに限定されるものではない。ねじ４の頭部４ａを覆うことができるように所定の内部空間を有し、且つ内周面におねじが設けられるものであれば、どのような形状でもよい。
【００２５】
本実施例では、リング状部材２を金属から形成されるものとしたが、例えば木、ガラス、石、陶器、磁器、樹脂等から形成されてもよい。
また、本実施例では、弾性部材３の形状をリング状としたが、本発明はこれに限定されるものではない。例えば、粒形状で、その複数個がリング状部材２に取付けられるようにしたものでもよい。また、弾性部材３とリング状部材２とが同一部材で一体に形成されてもよい。
【００２６】
本実施例では、弾性部材３をリング状部材２とねじ４の頭部４ａとの間に挟まれるように設けたが、リング状部材とねじ４の軸部４ｂ又は被締着部材５との間に挟まれるように設けてもよい。
本実施例では、固定形状部材７をガラスから形成されるものとしたが、例えば木、石、陶器、磁器、樹脂又はそれらを組み合わせたもの等で形成されてもよい。尚、固定形状部材７を化粧キャップ１に取付ける取付け方法は、それらに使う材質に応じた望ましい取付け方法で取付ければよい。
【００２７】
上記において、発明をある程度の詳細さをもって好適な形態について説明したが、この好適形態の現開示内容、例えば形状、材料等は単に一例を例示しただけのものであって、構成の細部において変化することができるものであり、各要素の組合せや順序の変化は請求された発明の範囲及び思想の範囲内で自由に変更して、実現し得るものであり、例示にとらわれるものではない。
【産業上の利用可能性】
【００２８】
本発明は、２つの被締着部材を締着させる締着部材、例えば、ねじ、ボルト、釘、画鋲、リベットなどの頭部を覆う化粧キャップ組立体に有用である。
【図面の簡単な説明】
【００２９】
【図１】本発明の実施例の化粧キャップ組立体を示す断面図
【図２】本発明の実施例の化粧キャップ組立体の化粧キャップを示す断面図
【図３】本発明の実施例の化粧キャップ組立体の化粧キャップを示す上面図
【図４】本発明の実施例の化粧キャップ組立体のリング状部材を示す断面図
【図５】従来例のねじ用化粧キャップを示す断面図
【符号の説明】
【００３０】
１        化粧キャップ
１ａ      めねじ
１ｂ      凹部  
２        リング状部材
２ａ      中空部
２ｂ      おねじ
３        弾性部材
４        ねじ
４ａ      頭部
４ｂ      軸部
５        被締着部材
６        被締着部材
７        固定形状部材
１０１    ねじ用化粧キャップ
１０１ａ  皿形状部
１０１ｂ  係着部
１０２    ねじ
１０２ａ  頭部
１０３    被締着部材
１０４    被締着部材
１０５    スペース
【図１】
2006266480.tif 000003
【図２】
2006266480.tif 000004
【図３】
2006266480.tif 000005
【図４】
2006266480.tif 000006
【図５】
2006266480.tif 000007